(57)【要約】【課題】手軽に簡単な操作で携帯端末からデータ登録を行うことができる携帯端末を用いた掲示板システムを提供することである。【解決手段】携帯端末が、画像撮影を行うカメラ部と、ネットワークに接続する通信部と、文字等を入力する操作部と、カメラ部、通信部および操作部の制御を行う制御部と、サーバへのログイン情報、ＵＲＬ情報およびサーバに対する投稿フォームを格納した記憶部とを有し、カメラ部による画像撮影時に、撮影画像を投稿フォームに添付して、ログイン情報とともにＵＲＬ情報にて指定されたサーバに送信するデータ登録手段とを有する。【選択図】図１
2008242567.tif 000002
【特許請求の範囲】
【請求項１】
画像撮影を行うカメラ部と、ネットワークに接続する通信部と、文字等を入力する操作部と、前記カメラ部、前記通信部および前記操作部の制御を行う制御部と、サーバへのログイン情報、ＵＲＬ情報およびサーバに対する投稿フォームを格納した記憶部とを有し、前記カメラ部による画像撮影時に、該撮影画像を前記投稿フォームに添付して、前記ログイン情報とともに前記ＵＲＬ情報にて指定されたサーバに送信するデータ登録手段とを有することを特徴とする携帯端末。
【請求項２】
前記データ登録手段による前記投稿フォームの更新の際には、該投稿フォームに直接書込みを示すフラグ情報を付けて送信することを特徴とする請求項１に記載の携帯端末。
【請求項３】
携帯端末から投稿フォームを受信した場合に、該投稿フォームとともに受信したログイン情報によって認証を行い、認証成功後投稿フォームにしたがってユーザの登録データを更新することを特徴とするサーバ。
【請求項４】
携帯端末から通常のアクセスを受けた場合はログイン認証画面を携帯端末に送信し、認証成功後ユーザの登録データを携帯端末に送信するサーバであって、携帯端末から直接書き込みを示すフラグが付いた投稿フォームを受信した場合には、該投稿フォームとともに受信したログイン情報によって認証を行い、認証成功後投稿フォームにしたがってユーザの登録データを更新することを特徴とするサーバ。
【請求項５】
請求項１または２に記載の携帯端末および請求項３または４に記載のサーバを有することを特徴とする携帯端末を用いた掲示板システム。
【請求項６】
前記サーバがブログサーバであることを特徴とする請求項５に記載の携帯端末を用いた掲示板システム。
【発明の詳細な説明】
【技術分野】
【０００１】
本発明は携帯端末を用いた掲示板システムに関し、たとえばブログやＳＮＳなども含む掲示板システムにおいて携帯端末を用いてデータ登録等を行う携帯端末を用いた掲示板システムに関する。
【背景技術】
【０００２】
最近では、ブログやＳＮＳ（ソーシャルネットワーキングシステム）といったネットワーク上でユーザ同士が交流する手段が開発され、急速に普及している。
【０００３】
なお、ここでは、初期のネットワーク上の掲示板と呼ばれるシステムのほかに、ブログやＳＮＳなどのネットワーク上でユーザ同士が交流するシステムをすべて含んで掲示板システムと呼ぶ。
【０００４】
このような掲示板システムにおいて、ユーザが情報の書き込みを行う場合、従来、パソコンを用いるのが一般的であった。
【０００５】
たとえば特許文献１の段落番号００１９には、デジタルカメラやカメラ付き携帯電話をパソコンに接続し、デジタルカメラやカメラ付き携帯電話で撮影した画像のデータをサーバにアップロードして登録する旨が記載されている。
【０００６】
【特許文献１】特開２００５−２５８６８８号公報
【発明の開示】
【発明が解決しようとする課題】
【０００７】
ところが、上述の特許文献１に記載のような、従来技術では、デジタルカメラやカメラ付き携帯電話のほかにパソコンが必要となり、データをサーバに登録する作業をパソコンがある場所でしか行えず、手軽に行えないという問題があった。
【０００８】
また、携帯電話等の携帯端末から、ブログやＳＮＳといった掲示板システムのサーバに画像や文章のデータを登録する場合、操作が面倒であるという問題があった。
【０００９】
たとえば、携帯端末からブログやＳＮＳに書き込む際（すなわちデータ登録する際）には、携帯端末で写真を撮影後、一旦携帯端末のメモリに画像を保管し、ブラウザでブログやＳＮＳのサイトにアクセスし、表示されたユーザのブログ画面から書き込みモードを選択し、記述内容を入力し、画像を保管場所から呼び出し、等々といった複雑な操作が必要であった。
【００１０】
本発明は上記の点にかんがみてなされたもので、手軽に簡単な操作で携帯端末からデータ登録を行うことができる携帯端末を用いた掲示板システムを提供することを目的とする。
【課題を解決するための手段】
【００１１】
上記課題を解決するにあたり、本発明の携帯端末は、画像撮影を行うカメラ部と、ネットワークに接続する通信部と、文字等を入力する操作部と、カメラ部、通信部および操作部の制御を行う制御部と、サーバへのログイン情報、ＵＲＬ情報およびサーバに対する投稿フォームを格納した記憶部とを有し、カメラ部による画像撮影時に、撮影画像を投稿フォームに添付して、ログイン情報とともにＵＲＬ情報にて指定されたサーバに送信するデータ登録手段とを有することを特徴とする。
【００１２】
また、上記携帯端末は、データ登録手段による投稿フォームの更新の際には、投稿フォームに直接書込みを示すフラグ情報を付けて送信することを特徴とする。
【００１３】
また、本発明のサーバは、携帯端末から通常のアクセスを受けた場合はログイン認証画面を携帯端末に送信し、認証成功後ユーザの登録データを携帯端末に送信するサーバであって、携帯端末から直接書き込みを示すフラグが付いた投稿フォームを受信した場合には、当該投稿フォームとともに受信したログイン情報によって認証を行い、認証成功後投稿フォームにしたがってユーザの登録データを更新することを特徴とする。
【発明の効果】
【００１４】
本発明によれば、手軽に簡単な操作で携帯端末からデータ登録を行うことができる携帯端末を用いた掲示板システムを提供することができる。
【００１５】
すなわち本発明によれば、ブログやＳＮＳ等の掲示板において画像付きの投稿を行う場合に、携帯端末のカメラ部の機能メニューから直接投稿を行うことができるので、ブログページすなわち登録データの更新操作が省力化される。
【発明を実施するための最良の形態】
【００１６】
以下、本発明の実施の形態について図面を参照して詳細に説明する。
【００１７】
図１は、本発明による携帯端末を用いた掲示板システムの一実施の形態の構成を示すブロック図である。
【００１８】
なお、この実施の形態では、掲示板システムの一例として、ユーザがブログ（ｂｌｏｇ）にて自身のページを有し、その自身のページに画像付きの投稿を行う場合について説明する。
【００１９】
図１において、カメラ付携帯端末１０は、ブログを有するユーザが用いる携帯電話等の端末であり、インターネット２０を介して、ブログサーバ３０にアクセスする機能を有している。また、ブログサーバ３０は、多数のユーザのブログページを管理・公開するサーバである。各ユーザのブログページは、ページ情報記憶装置３１に格納されている。
【００２０】
ブログサーバ３０は、ページ情報記憶装置３１と、アクセスしてきたユーザの認証を行うログイン認証手段３２と、ページ情報記憶装置３１からブログページを読み出して携帯端末１０に対して送信するログイン認証手段３３と、必要に応じて投稿フォーム３５を携帯端末１０に送信するとともに、ユーザが投稿フォーム３５に入力した投稿内容を、ページ情報記憶装置３１に書き込む情報更新手段３５とを有して構成される。
【００２１】
ブログサーバ３０の基本動作を以下に説明する。
【００２２】
ブログサーバ３０が携帯端末１０からのアクセス要求を受信すると、ログイン認証手段３２は携帯端末１０にユーザのＩＤとパスワードを要求して、ユーザ認証を行う。
【００２３】
ログイン認証手段３２にて認証が成功すると、情報表示手段３３が、認証したユーザに対応するブログページをページ情報記憶装置３１から読み出し、携帯端末１０に対して送信する。
【００２４】
ユーザは、情報表示手段３３によって送信されて携帯端末１０に表示されたブログページを閲覧し、情報を更新する場合は、そのブログページ上にある「書込みモード」のリンクを指定する。これを受けたブログサーバ３０は、その操作に対応して情報更新手段３４を起動し、投稿フォーム３５を携帯端末１０に対して送信する。
【００２５】
携帯端末１０が投稿フォーム３５を受信し、ユーザが投稿フォーム３５に投稿内容を入力してブログサーバ３０に対して送信すると、情報更新手段３４は受信した投稿フォーム３５の内容に従って、ページ情報記憶装置３１に記憶されているユーザのブログページを更新する。
【００２６】
以上の動作は、既存のブログサーバと同様である。
【００２７】
本実施の形態では、さらに、ブログサーバ３０が、携帯端末１０からの直接投稿の要求を受信した場合には、情報表示手段３３によるブログページの送信を省略して、直接的に情報更新手段３４によってブログページを更新することを特徴としている。
【００２８】
図２は、図１に示した携帯端末１０の内部構成を示すブロック図である。
【００２９】
図２に示すように、携帯端末１０は、インターネット２０に接続するための通信部１１と、携帯端末１０自身の動作を制御する制御プログラムを実行するための制御部１２と、制御プログラムや各種情報を記憶するための記憶部１３と、各種情報を表示するための表示部１４と、画像を撮影するためのカメラ部１５と、ユーザからの操作入力および文字入力を受け付けるための操作部１６とから構成される。
【００３０】
図３は、図２に示した携帯端末１０の記憶部１３の内容を示す図である。
【００３１】
図３に示すように、記憶部１３には、携帯端末１０の各部に対する制御プログラム（カメラ部１５における画像撮影制御プログラムを含む）１００と、ブログサーバ３０に対するユーザのＩＤおよびパスワードであるログイン情報１０１と、ブログサーバ３０のインターネット上のアドレスを示すＵＲＬ情報１０２と、ブログサーバ３０から提供され、ブログページを更新するための投稿フォーム１０３とが格納されている。
【００３２】
投稿フォーム１０３は、ブログサーバ３０において通常の更新時に用いられる投稿フォーム３５と同様の、たとえばＨＴＭＬ形式のファイルであり、文字入力の指定欄や更新ボタンなどが設けられている。
【００３３】
次に、図４を参照しながら、本実施の形態の動作を説明する。
【００３４】
図４は、図１に示した携帯端末１０およびブログサーバ３０の動作を示すフローチャートである。
【００３５】
なお、携帯端末１０の記憶部１３には、予め、ブログサーバ３０のブログサービスを利用するにあたって登録したログイン情報１０１およびＵＲＬ情報１０２が、表示部１４や操作部１６を用いたユーザ入力によって設定され、さらに、空の投稿フォーム１０３が保存されている。
【００３６】
また、カメラ部１５の機能メニュー（操作部１６においてユーザが選択可能なように提示するメニュー）として、「画像撮影」、「画像保存」等のほかに、「ブログ書込み」という機能を設けておく。
【００３７】
ユーザは、携帯端末１０のカメラ部１５によって写真画像を撮影し（ステップＳ１）、カメラ部１５の機能メニューから「ブログ書込み」を選択する。携帯端末１０は、この「ブログ書込み」の実行要求が為されると（ステップＳ２）、記憶部１３から投稿フォーム１０３を読み出して、表示部１４に表示する（ステップＳ３）。
【００３８】
次に、ユーザは、表示部１４に表示された投稿フォーム１０３を参照し、操作部１６を用いて投稿内容（文章等）を入力し、投稿フォーム１０３に設けられている更新ボタンを押下する。この操作を受けた携帯端末１０では、ユーザによって文章等の入力済みの投稿フォーム１０３に、ステップＳ１にて撮影された画像を添付し、記憶部１３に一時的に保存する（ステップＳ４）。
【００３９】
続いて、携帯端末１０は、直接書込み要求を示す情報と、ログイン情報と、記憶部１３に一時保存された投稿フォーム１０３（画像が添付されている）とを、ＵＲＬ情報１０２によって指定されたブログサーバ３０に対して送信する（ステップＳ５）。
【００４０】
ブログサーバ３０は、携帯端末１０からのアクセス要求を受信したとき、ログイン認証手段３２によって直接書込み要求の有無を検出する（ステップＳ６）。
【００４１】
従来と同様にブラウザのブックマーク等からブログサーバ３０にアクセスした場合、直接書込み要求は無いが、携帯端末１０のカメラ部１５の機能メニューに設けられた「ブログ書込み」によるアクセスの場合は直接書込み要求が付いてくる。よって、直接書込み要求がない場合は、従来と同様にログイン認証手段３２からログイン画面を携帯端末１０に送信し、認証実行後に情報表示手段３３からユーザのブログページを送信する（ステップＳ１３）。
【００４２】
一方、ステップＳ６において、直接書込み要求があった場合は、当該要求とともに受信したログイン情報１０１を用いて認証を行う（ステップＳ７、Ｓ８）。
【００４３】
認証がＯＫの場合は、直接書込み要求とともに受信した投稿フォーム１０３を情報更新手段３４に送信し（ステップＳ９）、情報更新手段３４ではこの投稿フォーム１０３に基づいてユーザのブログページを更新する（ステップＳ１０）。そして、更新完了通知を携帯端末１０に対して送信する（ステップＳ１１）。
【００４４】
なお、ステップＳ８において認証がＮＧの場合は、その旨を携帯端末１０に送信する（ステップＳ１４）。
【００４５】
携帯端末１０は、ブログサーバ３０から更新完了通知を受信すると、ステップＳ４にて一時保存した投稿フォーム１０３を削除するとともに、ステップＳ１において撮影した画像を廃棄するか保存するかのメッセージを表示部１４に表示する（ステップＳ１２）。その後、携帯端末１０は、ユーザの指定に従って撮影画像の廃棄又は保存を行う。
【００４６】
以上説明した本発明によれば、ブログやＳＮＳなどの掲示板に画像付きの投稿を行う場合に、携帯端末のカメラ部の機能メニューから直接投稿を行うことができるので、ブログページすなわち登録データの更新操作が省力化される。
【００４７】
なお、上述の実施の形態では投稿フォームを用いてブログページを更新する形式のブログサーバに適用できるが、メール送信による更新形式を採るブログサーバの場合は、ＵＲＬ情報１０２の代わりに更新用のメールアドレスを記憶しておくようにする。
【００４８】
そして、ステップＳ２における「ブログ書込み」が実行されたときに、撮影画像が添付され、且つ更新用メールアドレスが送信先にセットされた状態で端末に内蔵された電子メールプログラムを起動するようにしておけばよい。
【図面の簡単な説明】
【００４９】
【図１】本発明による携帯端末を用いた掲示板システムの一実施の形態の構成を示すブロック図である。
【図２】図１に示した携帯端末１０の内部構成を示すブロック図である。
【図３】図２に示した携帯端末１０の記憶部１３の内容を示す図である。
【図４】図１に示した携帯端末１０およびブログサーバ３０の動作を示すフローチャートの図である。
【符号の説明】
【００５０】
１０  携帯端末
１１  通信部
１２  制御部
１３  記憶部
１４  表示部
１５  カメラ部
１６  操作部
２０  インターネット
３０  ブログサーバ
３１  記憶装置
３２  ログイン認証手段
３３  情報表示手段
３４  情報更新手段
３５  投稿フォーム
１００  端末制御プログラム
１０１  ログイン情報
１０２  ＵＲＬ情報
１０３  投稿フォーム
【図１】
2008242567.tif 000003
【図２】
2008242567.tif 000004
【図３】
2008242567.tif 000005
【図４】
2008242567.tif 000006